(57)【特許請求の範囲】
【請求項１】
建築躯体の土台間に架設される床パン用支持架台であって、長尺の横フレームの両端部から立ち上がり部を突設し、立ち上がり部の上部に斜め外上方に向けて傾斜した傾斜部を連出し、傾斜部の上端部に外横方に向けて土台に載置するための土台載置部を連出し、土台載置部を、上横片の両側から縦片を垂設すると共に縦片の下端から両外側方に向けて土台に載置するための下横片を連出して構成し、傾斜部を、上端が上横片に連続する傾斜中央片と傾斜中央片の両側から突出した上端が縦片に連続する傾斜側片と傾斜側片の先端から突出した上端が下横片に連続する傾斜外側片とで構成すると共に、下端に行くほど傾斜側片からの突出寸法を短くした上面視三角形状に傾斜外側片を形成し、立ち上がり部を上端が傾斜中央片に連続する中央立ち上がり片と中央立ち上がり片の両側から突出して上端が傾斜側片に連続する両側立ち上がり片とで構成し、上記立ち上がり部、傾斜部、土台載置部を一枚の金属板により一連に連続して形成すると共に、土台載置部の縦片と下横片、傾斜部の傾斜側片と傾斜外側片及び立ち上がり部の側立ち上がり片で構成される補強折り曲げ部を、上記金属板の屈曲により一連に連続するように形成して成ることを特徴とする床パン用支持架台。
【請求項２】
土台に直接又はスペーサを介して載置する下横片に土台に固着するための固着具挿入孔を設け、上横片にねじ孔を設け、このねじ孔に下端を土台に押し当てて土台載置部を土台から上方に持ち上げるための持ち上げ用のねじ具を螺挿して成ることを特徴とする請求項１記載の床パン用支持架台。
【発明の詳細な説明】
【０００１】
【発明の属する技術分野】
本発明は、床パン用支持架台に関するものである。
【０００２】
【従来の技術】
従来から建物の対向する土台間に配置して両端部を対向する土台に載設固着する床パン用支持架台が知られている。（例えば特許文献１参照）
この従来例においては、土台１上に形成される床面よりも床パンの上面のレベルを低くするために床パン用支持架台Ａの床パンを載置する部分は土台１よりも低位置となっている。このため、従来の床パン用支持架台Ａは図９（ａ）に示すように金属製の長尺の横フレーム２の両端部に吊材１９’を上方に向けて突出していた。吊材１９’は立ち上がり片３０と、立ち上がり片３０の上部から斜め外上方に向けて傾斜するように連出した傾斜片３１と、傾斜片３１の上端部から上方に突出する縦片３２と、縦片３２の上端から外横方に向けて突出した土台載置片３３とで構成してあり、これら立ち上がり片３０、傾斜片３１、縦片３２、土台載置片３３よりなる吊材１９’を図９（ｂ）のように一枚の金属板を折曲して一体に形成してあり、上記のように一枚の金属板により形成した吊材１９’の立ち上がり片３０の下端を金属製の長尺の横フレーム２の端部に溶接などにより固着してある。ここで、傾斜片３１を設けてあるのは一般に上面に土台１を載設している基礎２２の側面が土台１の側面よりも外側に張り出しており、その張り出し量は現場により種々異なっているため、この基礎２２の側面の張り出し部分を避けるため上記のように傾斜片３１を設けて立ち上がり片３０と基礎２２との間に隙間を形成するのである。
【０００３】
ところが、上記のように傾斜片３１を設けることで基礎２２と吊材１９’の立ち上がり片３０との間の隙間幅を広く取れて吊材１９’が基礎２２と接触することを避けることができる反面、床パン用支持架台Ａが横フレーム２の長手方向に揺動するスペースをつくってしまうことになり、特に、一枚の金属板を折り曲げて形成してあるため、吊材１９’の製作コストは安いが上記揺動するスペースがあると傾斜片３１部分が撓んで横フレーム２が長手方向に揺動しやすいという問題がある。
【０００４】
そこで、この問題を解決するため、傾斜片３１が撓んで横フレーム２が長手方向に揺動しないように、上記従来例においては断面三角形状をした補強用スペーサ材３４を傾斜片３１と土台１との間に介在させて傾斜片３１より固着具を打ち込んで土台１に固着していた。
【０００５】
【特許文献１】
特開２００１−１２３６７７号公報
【０００６】
【発明が解決しようとする課題】
上記特許文献１に示される従来例にあっては、上記のように横フレームが長手方向に揺動しないように断面三角形状の補強部材を傾斜片と土台との間に介在させて固着具で固着する作業が現場作業として必要となり、現場作業が煩雑となるという問題がある。しかも、傾斜部分においては断面三角形状の補強部材で揺動しないようにすることができるが、平板状をした立ち上がり片部分は補強されておらず、したがって、立ち上がり片部分が撓むことによる横フレームの揺動は抑えることができないという問題がある。
【０００７】
また、上記従来例においては、土台載置片のレベル調整を行うにあたっては、作業者が手で横フレームを上方に持ち上げて土台載置片を土台から浮かせ、この状態で土台の上面と土台載置片との間にスペーサを挿入し、土台載置片のレベル、つまり、床パンを載置するための横フレームの高さ調整を行っていた。この場合、挿入するスペーサの数を調整したり、厚みの異なるスペーサを選択して挿入して高さ調整するのであるが、スペーサの数を変えて挿入したり、異なる厚みのスペーサを挿入する毎に横フレームを手で持ち上げねばならず、高さ調整の作業がきわめて面倒である。
【０００８】
本発明は上記の点に鑑みてなされたものであり、従来のように断面三角形状をした補強用スペーサ材を設けることなく、簡単な構成で横フレームの長手方向における揺動を防止でき、また、高さ調整が容易に行える床パン用支持架台を提供することを課題とするものである。
【０００９】
【課題を解決するための手段】
上記課題を解決するために本発明に係る床パン用支持架台は、建築躯体の土台１間に架設される床パン用支持架台Ａであって、長尺の横フレーム２の両端部から立ち上がり部３を突設し、立ち上がり部３の上部に斜め外上方に向けて傾斜した傾斜部４を連出し、傾斜部４の上端部に外横方に向けて土台１に載置するための土台載置部５を連出し、土台載置部５を、上横片７の両側から縦片８を垂設すると共に縦片８の下端から両外側方に向けて土台１に載置するための下横片９を連出して構成し、傾斜部４を、上端が上横片７に連続する傾斜中央片１０と傾斜中央片１０の両側から突出した上端が縦片８に連続する傾斜側片１１と傾斜側片１１の先端から突出した上端が下横片９に連続する傾斜外側片１２とで構成すると共に、下端に行くほど傾斜側片１１からの突出寸法を短くした上面視三角形状に傾斜外側片１２を形成し、立ち上がり部３を上端が傾斜中央片１０に連続する中央立ち上がり片１３と中央立ち上がり片１３の両側から突出して上端が傾斜側片１１に連続する両側立ち上がり片１４とで構成し、上記立ち上がり部３、傾斜部４、土台載置部５を一枚の金属板により一連に連続して形成すると共に、土台載置部５の縦片８と下横片９、傾斜部４の傾斜側片１１と傾斜外側片１２及び立ち上がり部３の側立ち上がり片１３で構成される補強折り曲げ部６を、上記金属板の屈曲により一連に連続するように形成して成ることを特徴とするものである。このような構成とすることで、立ち上がり部３、傾斜部４、土台載置部５よりなる吊材１９を一枚の金属板を加工することで形成できて構造が簡略となるのはもちろん、立ち上がり部３、傾斜部４、土台載置部５の両側に金属板の屈曲により形成した一連に連続する補強折り曲げ部６を設けることで、立ち上がり部３から土台載置部５にかけて吊材１９全体の強度を高めることできて、土台載置部５、傾斜部４、立ち上がり部３の変形を防止し、特に、傾斜部４や立ち上がり部３の撓みを防止して横フレーム２が長手方向に揺動するのを防止することができるものである。
【００１０】
ここで、土台載置部５を、上横片７の両側から縦片８を垂設すると共に縦片８の下端から両外側方に向けて土台１に載置するための下横片９を連出して構成し、傾斜部４を、上端が上横片７に連続する傾斜中央片１０と傾斜中央片１０の両側から突出した上端が縦片８に連続する傾斜側片１１と傾斜側片１１の先端から突出した上端が下横片９に連続する傾斜外側片１２とで構成すると共に、下端に行くほど傾斜側片１１からの突出寸法を短くした上面視三角形状に傾斜外側片１２を形成し、立ち上がり部３を上端が傾斜中央片１０に連続する中央立ち上がり片１３と中央立ち上がり片１３の両側から突出して上端が傾斜側片１１に連続する両側立ち上がり片１４とで構成しているから、土台載置部５、傾斜部４、立ち上がり部３が一連の断面コ字状又は断面ハット形状をした主体により一体に連続することになって一枚の金属板を加工したものであるにもかかわらず吊材１９の強度が確保できるものである。また、土台載置部５における土台１に載置する部分である下横片９と傾斜部４の傾斜外側片１２とが連続することで、土台１への固定部である下横片９の補強がなされるとともに傾斜部４の補強も同時になされることになる。
【００１１】
また、土台１に直接又はスペーサ１５を介して載置する下横片９に土台１に固着するための固着具挿入孔１６を設け、上横片７にねじ孔１７を設け、このねじ孔１７に下端を土台１に押し当てて土台載置部５を土台１から上方に持ち上げるための持ち上げ用のねじ具１８を螺挿することが好ましい。このような構成とすることで、土台載置部５の高さを調整するために下横片９と土台１との間にスペーサ１５を介在させるような場合には持ち上げ用のねじ具１８を操作して持ち上げ用のねじ具１８の下端部を土台１上面に押し当てて土台載置部５を持ち上げて高さ調整でき、高さ調整後に下横片９と土台１との間にスペーサ１５を差し込んで下横片９と土台１とをスペーサ１５を介して固着具２０で確実に固着できるものである。
【００１２】
【発明の実施の形態】
以下、本発明を添付図面に示す実施形態に基づいて説明する。
【００１３】
床パン用支持架台Ａは図１乃至図３に示すように、金属製の断面Ｕ字状あるいはロ字状をした長尺の横フレーム２と、横フレーム２の両端部に下端部を溶接などにより固着した一枚の金属板を加工して形成した吊材１９とで構成してある。吊材１９は垂直な立ち上がり部３と、立ち上がり部３の上部から斜め外上方に向けて傾斜して一体に連出した傾斜部４と、傾斜部４の上端部から外横方に向けて一体に連出した土台載置部５とで構成してある。ここで、立ち上がり部３、傾斜部４、土台載置部５は一枚の金属板を加工して一連に連続して形成してあり、しかも、上記立ち上がり部３、傾斜部４、土台載置部５の両側には金属板の屈曲により形成した一連に連続する補強折り曲げ部６が設けてある。
【００１４】
土台載置部５は上横片７の両側から縦片８を垂設すると共に縦片８の下端から両外側方に向けて土台１に載置するための下横片９を連出して構成してあり、上横片７の両側に垂設した縦片８と、縦片８の下端側から外側方に向けて突出した下横片９とで土台載置部５の両側において屈曲により形成した補強折り曲げ部６を構成していて土台載置部５が図３（ａ）に示すように断面略ハット形状をしている。また、傾斜部４は傾斜中央片１０の両側から傾斜側片１１を傾斜中央片１０の裏面側に向けて直角に突出し、傾斜側片１１の突出先端から傾斜側片１１に対して直角に外側方に向けて傾斜外側片１２を突出して構成してあり、傾斜中央片１０の両側から裏面側に突出した傾斜側片１１と、傾斜側片１１から外側方に突出した傾斜外側片１２とで傾斜部４の両側において屈曲により形成した補強折り曲げ部６を構成していて傾斜部４が断面略ハット形状をしている。また、立ち上がり部３は中央立ち上がり片１３と中央立ち上がり片１３の両側から突出した両側立ち上がり片１４とで構成してあり、中央立ち上がり片１３の両側から突出した側立ち上がり片１４が補強折り曲げ部６を構成していて立ち上がり部３が断面コ字状をしている。
【００１５】
ここで、傾斜部４の傾斜中央片１０の上端が土台載置部５の上横片７の一端部に連続し、傾斜側片１１の上端が縦片８に連続し、傾斜外側片１２の上端が下横片９に連続しており、更に、傾斜中央片１０の下端が立ち上がり部３の中央立ち上がり片１３の上端に連続し、傾斜側片１１の下端が側立ち上がり片１４の上端に連続している。
【００１６】
そして、土台載置部５、傾斜部４、立ち上がり部３は上記のように両側に折り曲げにより補強折り曲げ部６を構成することで、一部が断面コ字状で且つ他の一部が断面ハット形状をした主体が一体に連続する構造となっている。したがって、吊材１９が一枚の金属板を加工して形成してあるにもかかわらず高強度のものとすることができるものである。また、土台載置部５における土台１に載置する部分である下横片９と傾斜部４の傾斜外側片１２とが連続しているので、土台１への固定部である下横片９の補強がなされるとともに傾斜部４の補強も同時になされることになる。
【００１７】
土台載置部５の下横片９には固着具挿入孔１６が設けてあり、また、上横片７にはねじ孔１７を設けてあって、このねじ孔１７にはねじ具１８が螺合してある。
【００１８】
上記のような構成の床パン用支持架台Ａは、図４、図５に示すように、建物の対向する土台１間に配置し、床パン用支持架台Ａの両端部の吊材１９の土台載置部５をそれぞれ対向する土台１の上面に載置し、土台載置部５の下横片９の固着具挿入孔１６から釘、ビス等の固着具２０を挿入して土台１に固着することで取付けるものである。このようにして土台１間に複数列床パン用支持架台Ａを配置し、複数列配置した床パン用支持架台Ａの横フレーム２に浴室ユニットやトイレユニット等のユニットルームの床パン（図示せず）を載置支持するものである。この場合、金属製の横フレーム２の上面の床パン載置部分に合成樹脂製のテープ２３を貼着することで、金属製の横フレーム２に床パンを載置したものにおいて床パン上に振動が作用しても金属音が発生しないようにできる。
【００１９】
上記のようにして床パン用支持架台Ａに床パンを載設支持するのであるが、傾斜部４を設けることで立ち上がり部３を土台１を載設している基礎２２の側面から離して位置させることができ、これにより現場において基礎２２の側面が土台１の側面よりも側方に張り出している張り出し量に差があったりしてもこれを吸収できるものである。
【００２０】
床パン用支持架台Ａを対向する土台１に吊り下げている吊材１９が前述のように土台載置部５、傾斜部４、立ち上がり部３の両側に折り曲げにより補強折り曲げ部６を構成することで、一部が断面コ字状で且つ他の一部が断面ハット形状をした主体が一体に連続する構造となっているので、吊材１９部分が撓み難く、これにより床パン用支持架台Ａが横フレーム２の長手方向に揺動することがないものである。
【００２１】
ところで、対向する土台１の上面に床パン用支持架台Ａの両端部の吊材１９の土台載置部５を載置した際、横フレーム２の高さ調整を行う必要がある場合には次のようにして行う。すなわち、土台載置部５の下横片９を土台１に載置した状態で、固着具２０で固着する前に、上横片７のねじ孔１７に螺挿したねじ具１８を回転操作してねじ具１８の下端を土台１に押し当て、更にねじ具１８を回転して土台載置部５を土台１から上方に持ち上げて横フレーム２の高さ調整を行うものである。その後、図８に示すようなスペーサ１５を土台１と下横片９との間に差し込む。この場合、スペーサ１５を１乃至複数枚挿入したり、あるいは厚みの異なる複数種類のスペーサ１５の中から任意の厚みのスペーサ１５を選んで差し込むものである。スペーサ１５にはあらかじめ下横片９の固着具挿入孔１６に対応した孔２４が設けてあり、上記のように高さ調整、スペーサ１５の差し込みが終わった後、固着具挿入孔１６から挿入した固着具２０を孔２４を挿通して土台１に固着するものである（図６、図７参照）。
【００２２】
【発明の効果】
本発明の請求項１記載の発明にあっては、上記のように立ち上がり部、傾斜部、土台載置部を一枚の金属板により一連に連続して形成すると共に、土台載置部の縦片と下横片、傾斜部の傾斜側片と傾斜外側片及び立ち上がり部の側立ち上がり片で構成される補強折り曲げ部を、上記金属板の屈曲により一連に連続するように形成しているので、全体の強度を高めることできて、従来のように土台と傾斜部との間に断面三角形をした補強用スペーサ材を介在しなくても土台載置部、傾斜部、立ち上がり部が変形することなく、正確な状態で床パン用支持架台を土台間に架設できるものであり、ここで、土台載置部を、上横片の両側から縦片を垂設すると共に縦片の下端から両外側方に向けて土台に載置するための下横片を連出して構成し、傾斜部を、上端が上横片に連続する傾斜中央片と傾斜中央片の両側から突出した上端が縦片に連続する傾斜側片と傾斜側片の先端から突出した上端が下横片に連続する傾斜外側片とで構成すると共に、下端に行くほど傾斜側片からの突出寸法を短くした上面視三角形状に傾斜外側片を形成し、立ち上がり部を上端が傾斜中央片に連続する中央立ち上がり片と中央立ち上がり片の両側から突出して上端が傾斜側片に連続する両側立ち上がり片とで構成しているので、土台載置部、傾斜部、立ち上がり部が一連の断面コ字状又は断面ハット形状をした主体により一体に連続して強度を確保でき、しかも、土台載置部における土台に載置する部分である下横片と傾斜部の傾斜外側片とが連続することで、土台への固定部である下横片の補強がなされるとともに傾斜部の補強もなされるものであって、よりいっそう全体の強度を向上できるものであり、この結果、従来のように現場で補強用スペーサ材を取付けなくても簡単な構成で床パン用支持架台の長手方向の揺れを防止できるものである。
【００２４】
また、請求項２記載の発明にあっては、上記請求項１記載の発明の効果に加えて、土台に直接又はスペーサを介して載置する下横片に土台に固着するための固着具挿入孔を設け、上横片にねじ孔を設け、このねじ孔に下端を土台に押し当てて土台載置部を土台から上方に持ち上げるための持ち上げ用のねじ具を螺挿してあるので、土台載置部の高さを調整するために下横片と土台との間にスペーサを介在させるような場合には持ち上げ用のねじ具を操作して持ち上げ用のねじ具の下端部を土台上面に押し当てて土台載置部を持ち上げながら高さ調整ができるとともに、高さ調整後に下横片と土台との間にスペーサを差し込んで下横片をスペーサを介して土台に固着でき、従来のように床パン用支持架台を手で持ち上げた状態でスペーサを差し込みならが高さ調整を行うというような煩雑な現場作業が必要でなく、現場における高さ調整作業が容易に行えるものである。
【図面の簡単な説明】
【図１】本発明の床パン用支持架台の側面図である。
【図２】同上の平面図である。
【図３】（ａ）は図１のＸ−Ｘ線断面図であり、（ｂ）は図１のＹ−Ｙ線断面図である。
【図４】同上の施工状態を示す側面図である。
【図５】同上の要部拡大側面図である。
【図６】同上の高さ調整をしてスペーサを介在させた例の要部拡大側面図である。
【図７】同上の高さ調整をしてスペーサを介在させた例の要部拡大正面図である。
【図８】同上に用いるスペーサの平面図である。
【図９】（ａ）は従来例を示す側面図であり、（ｂ）は従来例に用いる吊材の斜視図である。
【符号の説明】
１  土台
２  床パン用支持架台
３  立ち上がり部
４  傾斜部
５  土台載置部
６  補強折り曲げ部
７  上横片
８  縦片
９  下横片
１０  傾斜中央片
１１  傾斜側片
１２  傾斜外側片
１３  中央立ち上がり片
１４  側立ち上がり片
１５  スペーサ
１６  固着具挿入孔
１７  ねじ孔
１８  ねじ具
【図１】
0003725861.tif 000002
【図２】
0003725861.tif 000003
【図３】
0003725861.tif 000004
【図４】
0003725861.tif 000005
【図５】
0003725861.tif 000006
【図６】
0003725861.tif 000007
【図７】
0003725861.tif 000008
【図８】
0003725861.tif 000009
【図９】
0003725861.tif 000010